(57)【要約】【課題】従来の出没式筆記具にあっては、押圧体の押圧操作によって筆記体の出没の係止・解除を行う機構になっているものの、出没の係止・解除のための機構が複雑で、部品点数も多く組立もやっかいでコスト高になるばかりでなく、その機構を軸筒内後部に組み込んでなるので、その分、軸筒長さを長くしなければならないという問題があった。【解決手段】クリップを有する外装体に対して相対的に移動する操作部材を配置し、その操作部材と連動し前記外装体から出没するリフィール体を有してなる出没式筆記具であって、そのリフィールの突出状態の維持・解除を前記操作部材に対するクリップの少なくとも水平方向の移動によってなすと共に、そのクリップを操作部材に対して前記移動方向とは反対側の方向に偏心させた出没式筆記具。【選択図】  図７
2004181668.tif 000002
【特許請求の範囲】
【請求項１】
クリップを有する外装体に対して相対的に移動する操作部材を配置し、その操作部材と連動し前記外装体から出没するリフィール体を有してなる出没式筆記具であって、そのリフィールの突出状態の維持・解除を前記操作部材に対するクリップの少なくとも水平方向の移動によってなすと共に、そのクリップを操作部材に対して前記移動方向とは反対側の方向に偏心させたことを特徴とする出没式筆記具。
【請求項２】
前記クリップを樹脂製の基部とその基部に固定される金属製のクリップ本体部とそのクリップ本体部の自由端側に設けられたクリップ玉から構成し、そのクリップ玉に前記操作部材に形成された係合部と係合・離脱する係合突部を形成したことを特徴とする請求項１に記載の出没式筆記具。
【請求項３】
前記クリップを基部に対して偏心させて固定したことを特徴とする請求項１、或いは、請求項２に記載の出没式筆記具。
【請求項４】
前記基部を外装体に対して偏心させて固定したことを特徴とする請求項１、或いは、請求項２に記載の出没式筆記具。
【発明の詳細な説明】
【０００１】
【発明の属する技術分野】
本発明は、クリップを有する外装体に対して相対的に移動する操作部材を配置し、その操作部材と連動し前記外装体から出没するリフィール体を有してなる出没式筆記具に関する。
【０００２】
【従来の技術】
一例として、軸筒内に複数の部材から構成される回転カム機構を配置し、ノック部の押圧を繰り返すことで軸筒内に収めたリフィールの出没の係止・解除を行なうものがある（特許文献１参照）。
また、外観や耐久性を考慮し、剛性と曲げ方向への弾力が両立するよう材質形状などが特定されているものもある（特許文献２参照）。
【０００３】
【特許文献１】
特開平９−９９６９１号公報（解決手段の欄、図３〜図７）。
【特許文献２】
特開２０００−１６８２９２号公報（段落００３３〜段落００３５、図６）。
【０００４】
【発明が解決しようとする課題】
しかし、上記のような従来技術にあっては、押圧体の押圧操作によって筆記体の出没の係止・解除を行う機構になっているものの、出没の係止・解除のための機構が複雑で、部品点数も多く組立もやっかいでコスト高になるばかりでなく、その機構を軸筒内後部に組み込んでなるので、その分、軸筒長さを長くしなければならないという問題があった。
また、金属クリップの加工方法についても、その形状の複雑さから加工が困難であり、それ故に、コスト高にもなってしまっていた。
【０００５】
【課題を解決するための手段】
本発明は、クリップを有する外装体に対して相対的に移動する操作部材を配置し、その操作部材と連動し前記外装体から出没するリフィール体を有してなる出没式筆記具であって、そのリフィールの突出状態の維持・解除を前記操作部材に対するクリップの少なくとも水平方向の移動によってなすと共に、そのクリップを操作部材に対して前記移動方向とは反対側の方向に偏心させたことを要旨とするものである。
【０００６】
【作用】
出没の係止・解除のための機構が簡単で、部品点数少なく、組立も簡便で低コストになるばかりでなく、出没の係止・解除のための機構が軸筒内後部に組み込まれていない分だけ軸筒長さを短くできるという利点を有するとともに、外観性、並びに、経時的な安定性も向上し、金属クリップの加工方法としても容易で安価なものであり、筆記使用後には、不用意にノック部材が押圧されて衣服を汚してしまうという恐れもない。
【０００７】
【実施例】
図１乃至図９に１例を示し説明する。図１（外観図）、図２（ペン先が前軸より突出した状態を示す外観図）、図３（図１の縦断面図）において外装体１の前方には、前軸２が螺着などにより着脱自在に取り付けられている（以下、図中上方を後方といい、下方を前方という）。前記前軸２には軟質の樹脂やゴム材などよりなる把持部材３が固着されており、また、前記前軸２の内側にはコイルスプリングなどの弾撥部材４がその前端を前軸２の内孔に固定されて取り付けられている。前記外装体１および前軸２の内側には、ボールペンなどのペン先Ｔを取り付けたリフィール５が前記弾撥部材４によって後方に付勢され且つ前後動自在に配置されている。
【０００８】
図１の後部のみを拡大した縦断面図である図４において、外装体１の後方に付勢されたリフィール５には後端にポリオキシメチレン樹脂製の操作部材６が当接している。操作部材６は摺動筒部６ａと係合部６ｂとを有している。外装体１には横孔１ａが形成され、前記係合部６ｂがこの横孔１ａに前後摺動自在に嵌入している。また、外装体１の後端開口部には、ポリカーボネート樹脂から成る取付基部７ａ及びクリップ玉７ｃと、金属製の変形板部（クリップ本体部）７ｂが一体に形成されたクリップユニット７が圧入などにより固定されている。尚、クリップユニット７は前記外装体１に対して近接する方向に弾撥付勢されているとともに、外装体１に対して近接する方向と直行する方向である横方向の弾撥力をも有している。
尚、操作部材６はその段部６ｃが前記クリップ７の筒部７ｄの前端に当接して後方への抜けを阻止されている。
【０００９】
図５に前記係合部６ｂとクリップ玉７ｃの形状および係合部６ｂとクリップ玉７ｃとの位置関係と係合の状態を示す。ペン先収容状態から、ペン先突出係止状態を経て、再びペン先収容状態に戻るまでを、前出の図４図示背面側より視て、７つの場面に分けた斜視図として示してある。尚、本図５のみは、図示の向きを変え、図中左方を後方といい、図中右方を前方という（図中右方がペン先側である）。
Ｎｏ．１（初期のペン先収容状態）以下の斜視図における前記係合部６ｂは、ペン先突出係合時に、クリップ玉７ｃを乗り越えさせる横方向に突出した係合乗り越え部６ｄを有し、また、クリップ玉７ｃと最初に当接する面である乗り上げ傾斜面６ｅを有している。この乗り上げ傾斜面６ｅによって係合部６ｂがクリップ玉７ｃを乗り越えさせる時の偏位角度が決定される。本例では４５°に設定してある。また、係合部６ｂは側面に凹部６ｆと、その凹部６ｆの前方側にクリップ玉７ｃの前端と当接して係合する係合凹部６ｇを有している。尚、前記凹部６ｆは図中上方の側が開放されており、後方に向って上面部６ｇに至る第２の乗り上げ傾斜面６ｉを有している。
【００１０】
係合部６ｂとクリップ玉７ｃの位置関係および係合の状態を詳細に説明する。弾撥部材４の付勢に抗して操作部材６を押圧すると、斜視図Ｎｏ．１における係合部６ｂが前方に移動する。更に押圧すると、係合部６ｂの乗り上げ傾斜面６ｅがクリップ玉７ｃの後端に当接する。この状態では、前記乗り上げ傾斜面６ｅとクリップ玉７ｃは線接触乃至点接触になっている。（斜視図Ｎｏ．２参照）。押圧を続けると、乗り上げ傾斜面６ｅによってクリップ玉７ｃが横方向（図中手前側）に偏位せしめられる。更に押圧を続けると、係合部６ｂがクリップ玉７ｃの側方を移動する（斜視図Ｎｏ．３、Ｎｏ．４参照）。ここで操作部材６の押圧を解除すると、係合部６ｂが後方に復動するが、クリップ７の横方向弾性によりクリップ玉７ｃが図中奥側に復元せしめられて凹部６ｆに入り込み前記係合凹部６ｇに当接するので、係合部６ｂとクリップ玉７ｃとの係合がなされる（斜視図Ｎｏ．５参照）。
【００１１】
前記の係合の状態を解除するためには、操作部材６を再び押圧すると、係合部６ｂが前方に移動し、前記第２の乗り上げ傾斜面６ｉがクリップ玉７ｃを押し上げるので、係合部６ｂとクリップ玉７ｃとの係合解除がなされる。そして、係合部６ｂの上面部６ｈがクリップ玉７ｃの図中下面に至る位置になると、クリップ７の横方向弾性によりクリップ玉７ｃが係合部６ｂの上面部６ｈを横方向に滑動せしめられて図中奥側に復帰する（斜視図Ｎｏ．６参照）。
ここで操作部材６の押圧を解除すると、係合部６ｂはクリップ玉７ｃの下方を移動して初期状態に復帰する（斜視図Ｎｏ．７参照）。
尚、本発明では、リフィール５が前軸２の先端より露出して係合状態のまま筆記具をポケット等に差し込もうとすれば、クリップ７のクリップ玉７ｃが外装体１外周面より持ち上げられる。この動作によって係合部６ｂとクリップ玉７ｃの係合が外され、初期状態に復帰せしめられるとともに、リフィール５も前軸２内に没入する。
【００１２】
図６、図７に変形板部７ｂを示す。金属製の変形板部７ｂは、取付基部７ａに差し込むｌ１部の上部から縦断面上ほぼ１８０゜曲げられて（ｌ２部）形成されているが、軸線方向には僅かに角度をもって（図７中右方向）曲げられており、その折り曲げ部（ｌ２部）から下方に向けてほぼストレート部（ｌ３部）が形成されている。
図８、図９にクリップユニット７の外装体１への取り付け構造を示す。取付基部７ａの一側面には、僅かに突出した膨出部７ｅが形成されている。その膨出部７ｅが形成された取付基部７ａは、外装体１の後端開口部に圧入されているが、その外装体１とは偏心した位置となっている。つまり図９中右方向に寄せられた状態で圧入されている。前記一側面に形成された膨出部７ｅによるものである。これらの形状は、図５に示した係合部６ｂとクリップ玉７ｃとの位置関係において、クリップ玉７ｃが係合部６ｂ側に寄せられるように、且つ、耐久性を向上させるように形成されたもので、金属板の曲げ加工によるバラツキを吸収するためのものともなっている。
【００１３】
【発明の効果】
本発明は、クリップを有する外装体に対して相対的に移動する操作部材を配置し、その操作部材と連動し前記外装体から出没するリフィール体を有してなる出没式筆記具であって、そのリフィールの突出状態の維持・解除を前記操作部材に対するクリップの少なくとも水平方向の移動によってなすと共に、そのクリップを操作部材に対して前記移動方向とは反対側の方向に偏心させたので、出没の係止・解除のための機構が簡単で、部品点数少なく、組立も簡便で低コストになるばかりでなく、出没の係止・解除のための機構が軸筒内後部に組み込まれていない分だけ軸筒長さを短くできるという利点を有すると共に、外観性も向上し、クリップの加工方法としても容易で安価なものであり、筆記使用後には、不用意にノック部材が押圧されて衣服を汚してしまうという恐れもないものである。
【図面の簡単な説明】
【図１】本発明を示す外観図。
【図２】ペン先が前軸より突出した状態を示す外観図。
【図３】図１のＡ−Ａ部分断面図
【図４】図１の後部のみを拡大した縦断面図。
【図５】係合部とクリップ玉との位置関係を示す部分斜視図。
【図６】変形板部の形状を示す測面図。
【図７】変形板部の形状を示す背面図。
【図８】クリップユニットの外観図。
【図９】クリップユニットの外観図。
【符号の説明】
１        外装体
１ａ    横孔
２        前軸
３        把持部材
４        弾撥部材
５        リフィール
６        操作部材
６ａ    摺動筒部
６ｂ    係合部
６ｃ  段部
６ｄ    係合乗り越え部
６ｅ    乗り上げ傾斜面
６ｆ  凹部
６ｇ  係合凹部
６ｈ  上面部
６ｉ  第２の乗り上げ傾斜面
７        クリップ
７ａ  取付基部
７ｂ    変形板部
７ｃ    クリップ玉
７ｄ    筒部
７ｅ  膨出部
Ｔ        ペン先
【図１】
2004181668.tif 000003
【図２】
2004181668.tif 000004
【図３】
2004181668.tif 000005
【図４】
2004181668.tif 000006
【図５】
2004181668.tif 000007
【図６】
2004181668.tif 000008
【図７】
2004181668.tif 000009
【図８】
2004181668.tif 000010
【図９】
2004181668.tif 000011